(57)【要約】【課題】異常を通知するだけでなく、異常の内容まで通知することが可能な光伝送システム及びその異常通知方法を提供する。【解決手段】光ファイバーで接続された子装置２と親装置１との間で光ファイバーを介して光信号を送受信する。子装置２は内部の異常情報を収集して、子機制御部ａ７により光信号のＯＮ／ＯＦＦに異常内容の情報を持たせるＯＮ／ＯＦＦ制御を行い、電気→光変換回路ａ２からＯＮとＯＦＦのデータ列により内部の異常情報を示すデータを送信する。親装置１は送信されたＯＮとＯＦＦのデータ列により異常情報を示すデータを受信し、異常情報抽出回路ｂ７によりそのデータから異常情報を抽出する。【選択図】図２
2011097152.tif 000002
【特許請求の範囲】
【請求項１】
光ファイバーで接続された第１の装置と第２の装置間で前記光ファイバーを介して光信号を送受信する光伝送システムであって、
前記第１の装置は、内部の異常情報を収集して光信号のＯＮ／ＯＦＦに異常内容の情報を持たせるＯＮ／ＯＦＦ制御を行い、前記ＯＮとＯＦＦのデータ列により内部の異常情報を示すデータを送信する手段を有し、
前記第２の装置は、前記第１の装置から送信された前記ＯＮとＯＦＦのデータ列により異常情報を示すデータを受信し、当該データから異常情報を抽出する手段を有することを特徴とする光伝送システム。
【請求項２】
前記ＯＮとＯＦＦのデータ列により異常情報を示すデータは、前記第１の装置と前記第２の装置との間で同期クロックの必要のない通信方式で送信することを特徴とする請求項１に記載の光伝送システム。
【請求項３】
前記第２の装置は、前記第１の装置に下り光信号を送信する親装置、前記第１の装置は前記第２の装置に上り光信号を送信する子装置であり、前記親装置は前記子装置から送信された異常情報を記憶部に保存して使用者に子装置の異常を知らせることを特徴とする請求項１又は２に記載の光伝送システム。
【請求項４】
光ファイバーで接続された第１の装置と第２の装置間で前記光ファイバーを介して光信号を送受信する光伝送システムの異常通知方法であって、
前記第１の装置は、内部の異常情報を収集して光信号のＯＮ／ＯＦＦに異常内容の情報を持たせるＯＮ／ＯＦＦ制御を行い、前記ＯＮとＯＦＦのデータ列により内部の異常情報を示すデータを送信し、
前記第２の装置は、前記第１の装置から送信された前記ＯＮとＯＦＦのデータ列により異常情報を示すデータを受信し、当該データから異常情報を抽出することを特徴とする異常通知方法。
【請求項５】
前記ＯＮとＯＦＦのデータ列により異常情報を示すデータは、前記第１の装置と前記第２の装置との間で同期クロックの必要のない通信方式で送受信を行うことを特徴とする請求項４に記載の異常通知方法。
【請求項６】
前記第２の装置は、前記第１の装置に下り光信号を送信する親装置、前記第１の装置は前記第２の装置に上り光信号を送信する子装置であり、前記親装置は前記子装置から送信された異常情報を記憶部に保存して使用者に子装置の異常を知らせることを特徴とする請求項４又は５に記載の異常通知方法。
【発明の詳細な説明】
【技術分野】
【０００１】
本発明は、光ファイバーで複数の装置を接続した光伝送システム及びその異常通知方法に関するものである。
【背景技術】
【０００２】
従来、光ファイバーで接続された親子関係のある装置において、親装置と子装置の光信号の伝送路クロックを合わせるため、高精度の発振器を親装置と子装置の両方に持たせるのではなく、子装置の発振器を簡略化し、下り光信号から生成した伝送クロックにＰＬＬを同期させ、ＰＬＬからのクロックを上り光信号の伝送クロックに使用することで、親装置で上り光信号からデータを抽出する方法がある。この構成では、上り光信号の伝送クロックが下り光信号の伝送クロックと同期していることになるため、親装置にも上り光信号の伝送クロック抽出回路が不要となり、回路の簡略化が可能となる。
【０００３】
ところが、この構成では、下り光信号が無い場合や、クロック抽出回路に異常があり、伝送クロックの生成がうまくいかない場合には、子装置からの上りデータが親装置で受信できないこととなる。
【０００４】
特許文献１には、光ファイバーで接続された親子関係にある親局装置と子局装置との間で、警報を転送する必要が生じた場合には、子局装置から親局装置へのアップリンク或いは親局装置から子局装置へのダウンリンクの光信号の発光／非発光を断続的に繰り返すことにより警報を通知することが記載されている。
【先行技術文献】
【特許文献】
【０００５】
【特許文献１】特開２００６−１８６４０９号公報
【発明の概要】
【発明が解決しようとする課題】
【０００６】
特許文献１の方法では、光信号の発光／非発光を断続的に繰り返すことにより何らかの異常が発生したことを通知することは可能であるが、どのような異常が発生したかを通知することまではできない。
【０００７】
本発明の目的は、異常を通知するだけでなく、異常の内容まで通知することが可能な光伝送システム及びその異常通知方法を提供することにある。
【課題を解決するための手段】
【０００８】
本発明は、光ファイバーで接続された第１の装置と第２の装置間で光ファイバーを介して光信号を送受信する光伝送システムに関する。そして、第１の装置は、内部の異常情報を収集して光信号のＯＮ／ＯＦＦに異常内容の情報を持たせるＯＮ／ＯＦＦ制御を行い、ＯＮとＯＦＦのデータ列により内部の異常情報を示すデータを送信する。また、第２の装置は、第１の装置から送信されたＯＮとＯＦＦのデータ列により異常情報を示すデータを受信し、当該データから異常情報を抽出する。
【発明の効果】
【０００９】
本発明によれば、光信号のＯＮ／ＯＦＦに異常内容の情報を持たせて送信することにより、異常を通知するだけでなく、例えば、下り光信号がない、クロック抽出回路の異常で下り伝送クロックの抽出が出来ない、光→電気変換回路の故障等の異常情報を通知することが可能となる。
【図面の簡単な説明】
【００１０】
【図１】本発明に係る光伝送システムの概要を示すブロック図である。
【図２】子装置の一例を示すブロック図である。
【図３】親装置の一例を示すブロック図である。
【発明を実施するための形態】
【００１１】
次に、発明を実施するための形態について図面を参照して詳細に説明する。図１は本発明に係る光伝送システムの概要を示すブロック図である。図中１は親装置、２は子装置であり、２つの装置は親子関係にある。親装置１と子装置２は光ファイバーで接続され、親装置１と子装置２との間で光ファイバーを介して光信号を送受信する。
【００１２】
本実施形態では、子装置２で下り信号（親機から子機への信号）に受信異常等の異常を検出した場合には、子装置２側の異常情報を上り信号（子機から親機への信号）に用いる光信号出力をＯＮ／ＯＦＦすることにより上位側の親装置１に通知する。その際、光信号出力をＯＮ／ＯＦＦするだけでなく、光信号出力のＯＮ／ＯＦＦに情報を持たせることにより異常の内容を通知する。親装置１から子装置２にも同様に光信号出力のＯＮ／ＯＦＦに情報を持たせることにより異常内容等の情報を送信してもよい。
【００１３】
図２は子装置２の一例を示すブロック図である。まず、親装置１から光ファイバーを介して子装置２に入力された下り光信号は光→電気変換回路ａ1で電気信号に変換され、その変換された電気信号はクロック抽出回路ａ４と受信データ抽出回路ａ３にそれぞれ供給される。また、光→電気変換回路ａ１は下り光信号の有無を判断し、光入力断検出信号を子機制御部ａ７に出力する。
【００１４】
クロック抽出回路ａ４は、その電気信号の伝送クロックを抽出し、ＰＬＬ回路ａ６に出力する。ＰＬＬ回路ａ６はそのクロックに同期したクロックを生成し、受信データ抽出回路ａ３及び送信信号生成回路ａ５に供給する。受信データ抽出回路ａ３はＰＬＬ回路ａ６からのクロックを用いて受信データを抽出する。送信信号生成回路ａ５は、子機制御部ａ７から入力された送信データとＰＬＬ回路ａ６からのクロックを用いて送信信号を生成し、電気→光変換回路ａ２に出力する。電気→光変換回路ａ２は送信信号を光信号に変換し、上り光信号として光ファイバーを介して親装置１に出力する。
【００１５】
また、子装置２では、下り光信号の入力が無い場合や、光→電気変換回路ａ１やクロック抽出回路ａ４等が故障した場合には、子機制御部ａ７は下り光信号の有無や子装置２内の故障の有無等を収集し、その結果に基づいて異常情報通知信号を生成し、親装置１に通知する。即ち、子機制御部ａ７では電気→光変換回路ａ２に光出力ＯＮ／ＯＦＦ制御信号を出力し、電気→光変換回路ａ２から出力する光信号のＯＮ／ＯＦＦ制御を行うことで異常情報を親装置１に通知する。
【００１６】
その際、子機制御部ａ７は光信号のＯＮ／ＯＦＦに異常内容の情報を持たせるようにＯＮ／ＯＦＦ制御を行い、例えば“ＯＮ”を“１”、“ＯＦＦ”を“０”に割り当てて、この“１”、“０”からなるデータ列により異常情報を示すパルスデータを送信する。例えば、「下り光信号の入力が無い」、「クロック抽出回路ａ４の異常で下り伝送クロックの抽出が出来ない」、「光→電気変換回路ａ１の故障」等の異常情報を通知する。
【００１７】
光→電気変換回路ａ１は、一般的に「光モジュール」と呼ばれるデバイスであり、この光モジュールは、上位からの光信号レベルが低く受信できない状態（LOSS状態）の検出が可能である。光→電気変換回路ａ１の故障には、上位からの光信号レベルが低く受信できないこと等がある。もちろん、これに限ることなく、その他の異常情報を通知することが可能である。
【００１８】
ここで、異常情報の電文を作成する場合には、例えば、以下のように異常識別コードを割り当てるものとする。
【００１９】
「下り信号の入力がない」→0×01  (0000 0001)
「クロック抽出回路の異常」→0×02  (0000 0010)
「光→電気変換a1の故障」→0×03  (0000 0011)
これを、シリアル通信で用いられるＲＳ−２３２Ｃ規格で行っているような調歩同期を使用して上位の親装置１に通知する。調歩同期では、最初にスタートビット、次にデータ、その後にパリティビット、ストップビットでフレームが構成され、そのデータに上述のような異常識別コードを組み込んで親装置１に異常情報を通知する。なお、異常識別コードをもっと詳細な情報にして、２バイト以上のコードとする場合には、データビットをその分長くすることで対応が可能である。
【００２０】
電気→光変換回路ａ２から異常情報を出力する場合には、上述のように電気→光変換回路である光モジュールは光信号をＯＮ／ＯＦＦする機能があるため、この光モジュールの端子に、例えば、３Ｖを印加すると出力はＯＮ、０Ｖを印加すると出力はＯＦＦする。子機制御部ａ７は異常識別コードに調歩同期に必要なビット（スタートビット、パリティビット、ストップビット）を組み込んだ電文を作成し、例えば、ビットが１の時には電気→光変換回路ａ２の光ＯＮ／ＯＦＦ制御端子に３Ｖを印加し、ビットが０の時には０Ｖを印加する制御を行うことで異常情報を通知する。このデータ通信には、例えば、調歩同期等の伝送路クロックの必要がない信号伝送式を用いるものとする。
【００２１】
図３は親装置１の一例を示すブロック図である。親機制御部ｂ１は親装置１の各部を制御する制御回路であり、送信信号生成回路ｂ２に送信データを出力する。送信信号生成回路ｂ２は送受信クロック生成回路ｂ４から出力されたクロックと親機制御部ｂ１から出力された送信データから送信信号を生成し、電気→光変換回路ｂ３に出力する。電気→光変換回路ｂ３は送信信号生成回路ｂ２から入力された送信信号を光に変換し、光ファイバーを介して下り光信号として子装置２に出力する。
【００２２】
光→電気変換回路ｂ６は子装置２からの上り光信号を受信し、その信号を電気信号に変換して受信データ抽出回路ｂ５に出力する。また、光→電気変換回路ｂ６は上り光信号の有無を検出する機能を有し、その検出結果を光入力断検出信号として親機制御部ｂ１及び異常情報抽出回路ｂ７に出力する。受信データ抽出回路ｂ５は光→電気変換回路ｂ６から入力された信号と、送受信クロック生成回路ｂ４から入力されたクロックから受信データを抽出し、親機制御部ｂ１に出力する。異常情報抽出回路ｂ７は光入力断検出信号から異常情報抽出を行い、親機制御部ｂ１に通知する。
【００２３】
親装置１では、上述のように光→電気変換回路ｂ６が上り光信号の入力の有無を検出しており、光入力断検出信号として親機制御部ｂ１及び異常情報抽出回路ｂ７に供給している。異常情報抽出回路ｂ７は、上述のように子装置２から光信号のＯＮ／ＯＦＦのデータで送られてきた異常情報通知信号から、例えば、「下り光信号の入力が無い」、「クロック抽出回路ａ４の故障で下り伝送クロックの抽出が出来ない」、「光→電気変換回路ａ１の故障」等の異常情報を抽出し、親機制御部ｂ１に渡す。親機制御部ｂ１はその異常情報を内部の記憶部に保存して、装置の保守者がそれを読み出すことにより、子装置２で発生している異常を知ることが可能となる。
【００２４】
このように本実施形態では、光信号のＯＮ／ＯＦＦだけでなく、光信号のＯＮ／ＯＦＦに異常内容の情報を持たせて送信するため、異常を通知するだけでなく、異常の内容まで通知することが可能となる。
【００２５】
なお、以上の実施形態では、子装置２から親装置１に異常を通知する例を示したが、親装置１から子装置２に対しても同様に光信号のＯＮ／ＯＦＦに異常内容等の情報を持たせて送信することも可能である。
【符号の説明】
【００２６】
１  親装置
２  子装置
ａ１  光→電気変換回路
ａ２  電気→光変換回路
ａ３  受信データ抽出回路
ａ４  クロック抽出回路
ａ５  送信信号生成回路
ａ６  ＰＬＬ回路
ａ７  子機制御部
ｂ１  親機制御部
ｂ２  送信信号生成回路
ｂ３  電気→光変換回路
ｂ４  送受信クロック生成回路
ｂ５  受信データ抽出回路
ｂ６  光→電気変換回路
ｂ７  異常情報抽出回路
【図１】
2011097152.tif 000003
【図２】
2011097152.tif 000004
【図３】
2011097152.tif 000005